(57)【要約】【課題】複写機やイメージスキャナに搭載される高輝度な発光装置を提供することを目的とする。【解決手段】反射鏡を一次元方向に走査して二次元画像を読取る画像読取装置において、前記反射鏡に電界放出型発光装置が備えられていることを特徴とする画像読取装置。【選択図】図１
2004239953.tif 000002
【特許請求の範囲】
【請求項１】
反射鏡を一次元方向に走査して二次元画像を読取る画像読取装置において、前記反射鏡に電界放出型発光装置が備えられていることを特徴とする画像読取装置。
【請求項２】
請求項１の画像読取装置において、前記電界放出型発光装置の長さが前記反射鏡の長手方向の有効長さ以上であることを特徴とする画像読取装置。
【請求項３】
請求項１または２の画像読取装置において、前記電界放出型発光装置の発光面表面の一部が反射鏡で覆われていることを特徴とする画像読取装置。
【発明の詳細な説明】
【０００１】
【発明の属する技術分野】
本発明は、画像読取装置に関する。
【０００２】
【従来の技術】特開２００１−１０９０７４、画像複写装置においては、ハードコピー形態のシート状複写物が高速に得られ、手軽で携帯性に優れると共に、複写画像を消去することなく複数の複写物を作成しうる薄型で軽量な小型画像複写装置を提供するという課題にたいして、反射画像原稿方向に出射光の指向性が高められるように構成された光透過性の導光板と該導光板に一体的に備えられた光源とを含むフロントライト型照明手段と、前記導光板の少なくとも一方の側の表面に対向して配置され、反射画像原稿面からの反射光を結像焦点面に結像する２次元レンズアレイと、基板上に少なくとも光感応性層及び表示層が設けられ、前記光感応性層が結像焦点面と一致する位置に着脱可能に備えられたシート状の表示記録媒体とを含む画像複写装置という技術を提案している。特開平５−１４２８８２、複写機では、比較的簡単な構成にて、感光体ドラム表面をノーマルモード、高速モード、ＰＨＯＴＯモード夫々に適した帯電電位に帯電させることができる複写機を得るという技術提案の中で、通常の複写速度のノーマルモードと、それ以上の複写速度の高速モードの選択が行える複写機において、高速モード時に感光体ドラムの回転速度をノーマルモード時よりも速い高速用に設定する駆動手段と、高速モード時に帯電器への供給電圧をノーマルモード時よりも高い高速用に設定する電圧供給手段と、写真等の複写に適したＰＨＯＴＯモード時には感光体ドラムの回転速度を高速用に設定するよう駆動手段を制御すると共に帯電器への供給電圧を高速モード時よりも低いノーマル用に設定するよう電圧供給手段を制御する制御手段とを設けたことに加えて、各モードに適した露光量に設定するために、走査光学系のハロゲンランプへの供給電圧を調整する電圧調整回路を制御することを特徴とする技術開示を行っている。駆動系の動作速度が変わると走査が高速になった場合にはＣＣＤでの読み取り時間が短くなる分だけハロゲンランプの光量を増加させなければならないことへの対応技術である。特開２００３−１５２３５、画像読取装置および複写機では、ホームポジションで第１および第２走行体を近接して位置付けるようにした場合にも、組み立てのばらつきに依存することなく、ケーブルガイド部材とランプハーネスとの接触を防止できるようにするという目的のために、露光ランプおよびミラーを搭載する第１走行体と二枚のミラーを搭載する第２走行体とを副走査方向に沿って往復動させることにより原稿画像を露光走査するようにした画像読取装置で、露光ランプに給電するためのハーネス１と、第２走行体および第２走行体に搭載されたミラーとの接触を防止する接触防止部材を設けた技術を開示している。ハロゲンランプでは電流供給量が多いために太いケーブルを使用しなければならず、このケーブルを引きずりながら走査する問題について機構を工夫することを提案したものである。特開２００２−３００３５１、画像読取装置の光源ランプ構造では、画像読取装置の光源ランプのランプソケットの上部を平面上に切欠することにより、光源ランプをプラテンガラス、即ち原稿に極力接近させて、原稿を照射する光量を多くして原稿の輝度を高くし、原稿から取得される画像データから複写機等で処理して得られる画像を、より忠実に再現できるようにすることを目的として、光源ランプのランプ管の両端部に取り付けられているランプソケットのプラテンガラスに臨む部分を平面状に切欠して、この平面部の一部にランプ管の一部を露呈させることで、ランプソケットを切欠した部分の高さ分だけ光源ランプをプラテンガラス、即ち原稿に接近させる技術を開示している。光源がハロゲンランプのように円筒形であり、かつ、その円筒形ガラスの内部に配置したタングステン線を発光体として原稿を照らしているので、照度を確保するためにわずかでもタングステン線光源を原稿に近づけようという技術の開示である。
【０００３】
【公知の従来技術】特開２００１−１０９０７４、特開平５−１４２８８２、特開２００３−１５２３５、特開２００２−３００３５１
【０００４】
【発明が解決しようとする課題】
【０００５】従来の技術では、円筒形状のハロゲンランプで読取り対象物を照らして、前記反射鏡に映し出された画像を離れたところに設置した一次元ＣＣＤイメージセンサで読取ることが行われていたが、円筒形状のハロゲンランプは円筒中心位置のタングステン線を加熱発光したものを光源としているのでその元光源は全方向に光を放射していて、必ずしも読取り対象物だけに有効に光を照射することができていなかった。無効な光として読取り位置以外を照らしてしまうので必要な光量を確保するためにハロゲンランプへの印加電力が増加してしまうという課題を抱えていた。印加電力が増加するとそれは消費電力増加の原因となる。その上、以下の問題も生じる。ハロゲンランプでは、そのチップオフ部がモリブデンとガラスとのピンチオフ接合となっていて接合部が３５０℃以上の温度になるとランプが破損する。このためハロゲンランプを安全に使うためには一定電力以上を印加できず、無効な光を極力減らすために反射鏡などを複雑に配備することになる。
【課題を解決するための手段】
本発明の画像読取装置は、反射鏡を一次元方向に走査して二次元画像を読取る画像読取装置において、前記反射鏡に電界放出型発光装置が備えられていることを第１の特徴とし、
第２に、第１の特徴に加えて前記電界放出型発光装置の長さが前記反射鏡の長手方向の有効長さ以上であることを、
第３に、第１または第２の特徴に加えて、前記電界放出型発光装置の発光面表面の一部が反射鏡で覆われていることを特徴とする。
【０００６】
【発明の実施の形態】
本発明の画像読取装置において、反射鏡を一次元方向に走査して二次元画像を読取る画像読取装置であることに加えて、前記反射鏡に電界放出型発光装置が備えられている第１の特徴を備える場合には、読取り対象原稿に光を照射するべき発光体が電界放出電子で励起発光する蛍光体である。
第２に、第１の特徴に加えて前記電界放出型発光装置の長さが前記反射鏡の長手方向の有効長さ以上である場合には原稿読み取りのための反射鏡のうち中央部の有効な鏡の部分よりも長い前記電界放出型発光装置が前記反射鏡の支持部分に取り付けられている。
第３に、第１または第２の特徴に加えて、前記電界放出型発光装置の発光面表面の一部が反射鏡で覆われていることを特徴とする場合には、励起発光する蛍光体の光が無駄な部分を照らさないように反射鏡を備えて集光している。
【０００７】
【実施例】本発明の実施例１を説明する。図１にその構成を示した。複写機の原稿読取り機構の例である。原稿１００を読取るＣＣＤイメージセンサ１が図のように原稿と直交した姿勢で設置されている。この原稿はガラス板２の上に置かれていて、前記ガラス板の下方向には反射鏡３が配置されている。この反射鏡は図の左右方向に走査される。前記反射鏡には電界放射型発光装置４が搭載されている。
【０００８】本発明の実施例２を説明する。図２と図３を用いて説明する。まず図２において複写機やイメージスキャナーの反射鏡３の詳細構造の例である。反射鏡３の最上部に電界放射型発光装置を搭載している。この電界放射型発光装置は蛍光体が真空内側に塗布されたフロントガラス５と前記蛍光体に正の高電圧を与えるための蛍光板電極６と電子の供給源であるカソード電極７で構成されている。カソード電極にはカーボンナノチューブが塗布されていて前記カソード電極とフロントガラス内面との距離は１ｍｍである。カソード電極は接地電位で蛍光板電極には正の１０ｋＶが印加されている。電位差１０ｋＶで加速された電子が蛍光体を励起発光させている。
【０００９】図３は図２で描いた反射鏡３の斜視図である。長辺となる長手方向の長さは２５０ｍｍである。反射鏡３の有効反射部分の長手方向の長さは２００ｍｍである。
【００１０】本発明の実施例３を説明する。フロントガラス５の一部を覆う反射面８を備えている電界放射型発光装置４を搭載した反射鏡３の例である。図４に描いた。前記フロントガラスの内、図面右側の部分に反射面を設けてある。この構造により、蛍光体からの光は図の左側方向にだけ効率的に放射される。
【００１１】電界放射型発光装置４のフロントガラス５の形状に特徴がある実施例を説明する。本発明の実施例４であり、図５に描いた。フロントガラスが図に描くとおりその発光面が凹んでいることで、発光による光が集光されて原稿に照射される。
【００１２】本発明の実施例５を説明する。図６にその構造を示す。反射鏡３に実装されている電界放射型発光装置が図に描くとおり斜めの姿勢に実際されている。この斜め実装によって放射光が原稿の有効部分を照らすことが実現している。
【００１３】本発明の実施例６を示す。電界放射型発光装置４の構造に特徴がある反射鏡３の例である。この例では図に描くようにフロントガラス５がその真空装置内側の蛍光体塗布面が凸型になっている。凸型の面に沿って、カソード電極７が形成されている。蛍光体塗布面とカソード電極とのキャップは１．５ｍｍである。
【００１４】
【発明の効果】
本発明の発光装置を用いると反射鏡に高輝度な発光装置を実装できる。電界放射型発光装置でそのカソード電極とフロントガラスとの距離を最適化することで、少ない電流、高電圧の条件で高輝度発光させられる。このため、発光装置に接続される電線が細いものでよく、反射鏡の走査が楽に行える。
【図面の簡単な説明】
【図１】本発明実施例１の構成図
【図２】本発明実施例２の構成図
【図３】本発明実施例２の斜視図
【図４】本発明実施例３の構成図
【図５】本発明実施例４の構成図
【図６】本発明実施例５の構成図
【図７】本発明実施例６の構成図
【符号の説明】１はＣＣＤイメージセンサ、２はガラス板、３は反射鏡、４は電界放射型発光装置、５はフロントガラス、６は蛍光板電極、７はカソード電極、８は反射面、１００は原稿である。
【図１】
2004239953.tif 000003
【図２】
2004239953.tif 000004
【図３】
2004239953.tif 000005
【図４】
2004239953.tif 000006
【図５】
2004239953.tif 000007
【図６】
2004239953.tif 000008
【図７】
2004239953.tif 000009